(57)【要約】【課題】誤操作による生体情報の削除を確実に防止する。【解決手段】ユーザの指から生体情報を読み取る読取手段８と、ユーザの指の生体情報を記憶する記憶手段９と、読取手段８によって読み取った生体情報と、記憶手段９に記憶した生体情報を比較し、個人認証を行う個人認証手段１２とを備える。さらに、読取手段９によりユーザのある指から生体情報を読み取る際、その指を含む一方の手では操作不能な位置に設けられ、記憶手段９に記憶した生体情報の削除処理を開始させるための削除開始手段２２と、読取手段８によってユーザの指から生体情報を読み取った状態で、削除開始手段２２が操作されることにより、記憶手段９から生体情報を削除する削除処理を実行する削除実行手段１２、１９とを備える。【選択図】図３
2009134422.tif 000002
【特許請求の範囲】
【請求項１】
ユーザの指から生体情報を読み取る読取手段と、
前記ユーザの指の生体情報を記憶する記憶手段と、
前記読取手段によって読み取った生体情報と、前記記憶手段に記憶した生体情報を比較し、個人認証を行う個人認証手段と、
を備えた生体認証装置であって、
前記読取手段によりユーザのある指から生体情報を読み取る際、その指を含む一方の手では操作不能な位置に設けられ、前記記憶手段に記憶した生体情報の削除処理を開始させるための削除開始手段と、
前記読取手段によってユーザの指から生体情報を読み取っている状態で、前記削除開始手段が操作されることにより、前記記憶手段から生体情報を削除する削除処理を実行する削除実行手段と、
を備えたことを特徴とする生体認証装置。
【請求項２】
前記読取手段によって読み取った生体情報がマスター情報であるか否かを判定する生体情報判定手段をさらに備え、
削除実行手段は、前記生体情報判定手段によりマスター情報であると判定されれば、前記記憶手段からマスター情報以外の生体情報を全て削除することを特徴とする請求項１に記載の生体認証装置。
【請求項３】
ユーザの指から生体情報を読み取る読取ステップと、
前記読取ステップで読み取った生体情報と、記憶手段に記憶した生体情報を比較し、個人認証を行う個人認証ステップと、
を含む生体認証方法であって、
前記読取ステップで、ユーザのある指から生体情報を読み取る際、その指を含む一方の手では操作不能な位置に設けられた削除開始手段を操作することにより、前記記憶手段に記憶した生体情報の削除処理を開始させるための削除開始ステップと、
前記読取ステップで、ユーザの指から生体情報を読み取った状態で、前記削除開始ステップが実行されることにより、前記記憶手段から生体情報を削除する削除実行ステップと、
を含むことを特徴とする生体認証方法。
【請求項４】
前記削除実行ステップの前に、前記読取ステップで読み取った生体情報がマスター情報であるか否かを判定する生体情報判定ステップを実行し、
削除実行ステップでは、前記生体情報判定ステップでマスター情報であると判定されることにより、前記記憶手段からマスター情報以外の生体情報を全て削除することを特徴とする請求項３に記載の生体認証方法。
【発明の詳細な説明】
【技術分野】
【０００１】
本発明は、生体認証装置及び生体認証方法に関するものである。
【背景技術】
【０００２】
従来、生体認証装置として、ユーザキーをキー受け具に挿入し、ユーザの指が指紋センサに配置されることにより指紋データを登録でき、ユーザキーを削除位置に回転させ、指紋センサで読み取られた指紋が登録した指紋データと合致することにより削除可能としたものが公知である（例えば、特許文献１参照）。
【０００３】
【特許文献１】特開２００３−１３６４６号公報
【発明の開示】
【発明が解決しようとする課題】
【０００４】
しかしながら、前記従来の生体認証装置では、指紋センサで指の指紋を読み取る際、誤ってユーザキーが削除位置に操作されると、登録してある指紋データが削除されてしまう恐れがある。また、削除の対象となる指紋データが削除位置の違いによって選択するようにしているため、誤って他の指紋データが削除される恐れもある。
【０００５】
そこで、本発明は、誤操作による生体情報の削除を確実に防止することのできる生体認証装置及び生体認証方法を提供することを課題とする。
【課題を解決するための手段】
【０００６】
本発明は、前記課題を解決するための手段として、
ユーザの指から生体情報を読み取る読取手段と、
前記ユーザの指の生体情報を記憶する記憶手段と、
前記読取手段によって読み取った生体情報と、前記記憶手段に記憶した生体情報を比較し、個人認証を行う個人認証手段と、
を備えた生体認証装置であって、
前記読取手段によりユーザのある指から生体情報を読み取る際、その指を含む一方の手では操作不能な位置に設けられ、前記記憶手段に記憶した生体情報の削除処理を開始させるための削除開始手段と、
前記読取手段によってユーザの指から生体情報を読み取っている状態で、前記削除開始手段が操作されることにより、前記記憶手段から生体情報を削除する削除処理を実行する削除実行手段と、
を備えたものである。
【０００７】
この構成により、読取手段で指の生体情報を読み取る際、その指がある手では削除開始手段を操作することができず、残る他方の手で削除開始手段が操作されない限り、誤って削除処理が実行されることがない。
【０００８】
前記読取手段によって読み取った生体情報がマスター情報であるか否かを判定する生体情報判定手段をさらに備え、
削除実行手段は、前記生体情報判定手段によりマスター情報であると判定されれば、前記記憶手段からマスター情報以外の生体情報を全て削除するようにしてもよい。
【０００９】
この構成により、マスター情報以外の生体情報を簡単に削除することができる。
【００１０】
また、本発明は、前記課題を解決するための手段として、
ユーザの指から生体情報を読み取る読取ステップと、
前記読取ステップで読み取った生体情報と、記憶手段に記憶した生体情報を比較し、個人認証を行う個人認証ステップと、
を含む生体認証方法であって、
前記読取ステップで、ユーザのある指から生体情報を読み取る際、その指を含む一方の手では操作不能な位置に設けられた削除開始手段を操作することにより、前記記憶手段に記憶した生体情報の削除処理を開始させるための削除開始ステップと、
前記読取ステップで、ユーザの指から生体情報を読み取った状態で、前記削除開始ステップが実行されることにより、前記記憶手段から生体情報を削除する削除実行ステップと、
を実行するものである。
【００１１】
前記削除実行ステップの前に、前記読取ステップで読み取った生体情報がマスター情報であるか否かを判定する生体情報判定ステップを実行し、
削除実行ステップでは、前記生体情報判定ステップでマスター情報であると判定されることにより、前記記憶手段からマスター情報以外の生体情報を全て削除するようにしてもよい。
【発明の効果】
【００１２】
本発明によれば、読取手段で指の生体情報を読み取る際、その指がある手では削除開始手段を操作できないように構成したので、誤操作によって必要な情報が削除されるといった不具合を確実に防止することが可能となる。
【発明を実施するための最良の形態】
【００１３】
以下、本発明に係る実施形態を添付図面に従って説明する。
【００１４】
図１は、本実施形態に係る生体認証システムを示す。この生体認証システムは、車両に採用され、生体認証装置１と、スマートエントリーコントロールユニット２（以下、コントロールユニットをＣ／Ｕと省略して記載する。）とを備える。また、スマートエントリーＣ／Ｕ２は、ドア開閉スイッチ３（ドア開閉ＳＷ）、ドアロックＣ／Ｕ４、電動ステアリングロック５（電動ＳＴＬ）、エンジンＣ／Ｕ６、スタートスイッチ７（スタートＳＷ）等に接続されている。
【００１５】
生体認証装置１は、図２に示すように、撮像部８、第１記憶部９、第１電源部１０、第１通信部１１、及び、第１制御部１２を備える。
【００１６】
撮像部８は、赤外線照射部１３とカメラ部１４とを備える。赤外線照射部１３は、赤外線を照射するための複数のＬＥＤを有し、これらＬＥＤからは近赤外線が照射され、カメラ部１４にて指の静脈パターンを読み取り可能な状態とする。カメラ部１４は、ＣＣＤ（Charge Coupled Device）カメラ、ＣＭＯＳ（Complementary Metal-Oxide Semiconductor）カメラ等で構成され、近赤外線が照射された指から静脈パターンを読み取る。
【００１７】
第１記憶部９は、車両の使用が許可されたユーザの生体情報（ここでは、指の静脈パターン）と、識別情報であるＩＤ（identification）データとが互いに関連付けて記憶される。ここでは、１つのＩＤデータ（ＩＤ番号）が１人の人物に対応し、１つのＩＤデータに対して特定の指の静脈パターンを複数回読み取ったものを関連付けると共に、１つのＩＤデータに対して異なる指をそれぞれ記憶した複数のデータによって構成されたものが記憶される。例えば、第１データとして、ＩＤ番号（１）に対して人差し指の１回目、２回目、及び、３回目の生体認識した結果（生体情報）を記憶させ、第２データとして、ＩＤ番号（１）に対して中指の１回目、２回目、及び、３回目の生体認識した結果（生体情報）を記憶させ、第３データとして、ＩＤ番号（１）に対して薬指の１回目、２回目、及び、３回目の生体認識した結果（生体情報）を記憶させるようにしている。また、第１記憶部９には、後述する認証処理を実行するための制御プログラムが記憶されている。
【００１８】
第１電源部１０は、撮像部８、第１記憶部９、第１通信部１１、及び、第１制御部１２に電力を供給する。
【００１９】
第１通信部１１は、スマートエントリーＣ／Ｕ２との間でデータの送受信を行うためのもので、有線及び無線のいずれでも採用可能である。ここでは、コネクタが使用されている。第１通信部１１は、第１制御部１２で個人認証処理を行った結果をスマートエントリーＣ／Ｕ２に送信する。
【００２０】
第１制御部１２は、前記撮像部８のカメラ部１４で撮影された生体情報を、前記第１記憶部９に記憶させた生体情報と照合することにより、後述するようにして生体認証処理を実行する。前記静脈パターンは、画像処理により数値化し、第１記憶部９に登録済みの生体情報（同じく数値化されたもの）と比較して登録済みの人物のものであるか否かを判断する。
【００２１】
なお、静脈パターンの数値化は、次のようにして行う。すなわち、指に照射する近赤外線は、酸素を運び終えた、血液中の静脈を流れる還元ヘモグロビンに吸収されやすい。このため、静脈では暗く、静脈以外では明るく撮影される。そこで、各部位での明暗を２進法により「０」又は「１」の数値データに変換する。
【００２２】
スマートエントリーＣ／Ｕ２は、入出力部１５、第２記憶部１６、第２電源部１７、第２通信部１８、及び、第２制御部１９を備える。
【００２３】
入出力部１５は、ドア開閉ＳＷ３、ドアロックＣ／Ｕ４、電動ＳＴＬ５、エンジンＣ／Ｕ６、スタートＳＷ７、リモコン２０（スマートエントリー装置）、登録ボタン２１、消去ボタン２２等からの出力信号を受け付け、逆に、前記各Ｃ／Ｕに制御信号を送信して所定の動作を行わせる。
【００２４】
ドア開閉ＳＷ３はドアの開閉によりオン・オフ信号を出力する。ドアロックＣ／Ｕ４は、車両のドアに設けたドアロック装置のアクチュエータを駆動制御し、ドアの施錠・開錠を行う。電動ＳＴＬ５は、ステアリングシャフトをロック・アンロックすることにより車両の盗難を防止する。ここでは、スマートエントリーＣ／Ｕ２からの制御信号に基づいて内部のモータが駆動制御され、ステアリングシャフトをロック・アンロックする。エンジンＣ／Ｕ６は、エンジンの始動、停止、及び動作を制御する。スタートＳＷ７は、エンジンを始動するためのスイッチであり、車内のハンドル近傍に設置される。
【００２５】
リモコン２０は、車両のドアの施錠、開錠に利用される。すなわち、ユーザが車両に乗り込んで、ドアハンドルに接触したことが、ドアハンドルに設けた図示しないタッチセンサにより検出され、タッチセンサからオン信号が出力されると、スマートエントリーＣ／Ｕ２によりリクエスト信号が送信される。リモコン２０は、このリクエスト信号を受信し、予め登録された識別信号を送信する。スマートエントリーＣ／Ｕ２は、この識別信号に基づいてドアロックＣ／Ｕ４にアンロック指示信号を出力し、ドアが開錠される。
【００２６】
登録ボタン２１は、生体情報の登録時に利用される。登録ボタン２１を操作すれば、スマートエントリーＣ／Ｕ２から生体認証装置１へと登録モード信号が送信される。そして、撮像部８のカメラ部１４で指の静脈パターンを読み取らせれば、その静脈パターンを生体情報として第１記憶部９に記憶させることができる。
【００２７】
消去ボタン２２は、図３に示すように、撮像部８に指を配置した状態で、その指がある方の手では操作不能な位置に設けられ、生体情報の削除時に利用される。このように、指から生体情報を読み取っている状態では、その指がある方の手では消去ボタン２２を操作できないので、ユーザが誤って消去ボタン２２を操作して必要なデータが消去されるといった不具合を未然に防止することが可能となっている。
【００２８】
第２記憶部１６には、車両の使用が許可されたユーザのＩＤデータが記憶される。
【００２９】
第２電源部１７は、入出力部１５、第２記憶部１６、第２通信部１８、及び、第２制御部１９に電力を供給する。
【００３０】
第２通信部１８は、前記生体認証装置１の第１通信部１１との間でデータの送受信を行う。ここでは、コネクタが使用されている。第２通信部１８からは、電源オン信号や登録モード信号等が第１通信部１１に送信され、第１通信部１１からはＩＤデータや生体情報のほか、照合結果等が受信される。
【００３１】
第２制御部１９は、生体認証装置１で生体認証の結果、記憶された生体情報であると判断された場合、その生体情報に関連付けた識別情報であるＩＤデータを、前記第２記憶部１６に記憶させ、ドア開閉ＳＷ３、スタートＳＷ等からの入力信号に基づいて、ドアロックＣ／Ｕ４、電動ＳＴＬ５、エンジンＣ／Ｕ６を駆動制御する。
【００３２】
次に、前記生体認証システムの動作について説明する。
【００３３】
（登録モード）
初期状態では、各記憶部９、１６にはデータが記憶されていないので、図４に示すように、登録ボタン２１を操作し（ステップＳ１）、生体情報を登録する登録モードを開始する。すなわち、登録ボタン２１が操作されることにより、後述する通常モードで、マスター認証が実施済みか否かを判断する（ステップＳ２）。マスター認証とは、撮像部８によって読み取られた生体情報と、第１記憶部９にマスターとして記憶した生体情報とを比較し、一致した場合にマスターとして設定された人物の認証が行われたこととするものである。このマスター認証が行われたか否かの判断は、通常モード時、第２記憶部１６に記憶される認証されたＩＤデータを確認することにより行う。つまり、生体情報の登録は誰でも可能なわけではなく、マスターとして設定された人物のみが実施可能となっている。なお、マスターとなる生体情報は、例えば、ディーラーでの専用端末でのみ登録可能とする。そして、登録ボタン２１が操作されても、マスター認証が行われていなければ（ステップＳ２：ＮＯ）、生体情報を登録できないように警告（ワーニング）処理を実行させる（ステップＳ３）。警告処理では、音声やブザーあるいはランプの点灯等により行えばよい。また、無線等の機器を備えたものであれば、車両から離れた他の場所に連絡するように構成することも可能である。マスターデータが登録されていれば（ステップＳ２：ＹＥＳ）、スマートエントリーＣ／Ｕ２から生体認証装置１に登録モード信号を送信する（ステップＳ４）。
【００３４】
生体認証装置１では、スマートエントリーＣ／Ｕ２から送信された登録モード信号に基づいて、登録モードを開始する（ステップＳ１１）。すなわち、撮像部８でユーザの指から生体情報（静脈パターン）が読み取られると（ステップＳ１２）、読み取った生体情報を２値・暗号化する（ステップＳ１３）。また、ＩＤデータを作成する（ステップＳ１４）。そして、生体情報とＩＤデータとを互いに関連付けて第１記憶部９に記憶させる（ステップＳ１５）。第１記憶部９に記憶されれば、ＩＤデータをスマートエントリーＣ／Ｕ２に送信する（ステップＳ１６）。そして、次の生体情報の登録処理が行われれば（ステップＳ１７）、前記ステップＳ１３に戻って同様の処理を繰り返す。
【００３５】
スマートエントリーＣ／Ｕ２では、生体認証装置１からの送信されたＩＤデータを受信し（ステップＳ５）、これを第２記憶部１６に記憶させる（ステップＳ６）。ここで、３０秒間待機し（ステップＳ７）、その間、待ち受け状態を維持する（ステップＳ８）。３０秒経過すれば、生体認証装置１に登録終了信号を送信する（ステップＳ９）。
【００３６】
生体認証装置１では、スマートエントリーＣ／Ｕ２から登録終了信号を受信するまで（ステップＳ１８）、待ち受け状態を維持し（ステップＳ１９）、登録終了信号を受信すれば、一連の生体情報登録処理を終了する。
【００３７】
（通常モード）
ユーザが車両に乗車してエンジンを始動する場合の処理（通常モード）について、図５及び図６のフローチャートに従って説明する。
【００３８】
スマートエントリーＣ／Ｕ２では、ドア開閉ＳＷ３からドアが開放状態から閉鎖状態になったことを示す信号が入力されれば（ステップＳ３１）、生体認証装置１に対し、電源をオン状態とするための電源オン信号を出力し（ステップＳ３２）、認証モード起動信号を出力する（ステップＳ３３）。
【００３９】
生体認証装置１では、スマートエントリーＣ／Ｕ２からの電源オン信号に基づいてデータを初期化し（ステップＳ５１）、スマートエントリーＣ／Ｕ２から認証モード起動信号が入力されていれば、認証モード処理を開始する（ステップＳ５２）。
【００４０】
認証モードでは、まず、撮像部８のカメラ部１４で指を撮像可能であるか否かの指検出を行う（ステップＳ５４）。指が検出されれば（ステップＳ５５：ＹＥＳ）、カメラ部１４による撮像を行い（ステップＳ５６）、指が検出されなければ（ステップＳ５５：ＮＯ）、３０秒間、指検出を続行し（ステップＳ５７）、それでも検出されない場合に、認証モードを終了する。
【００４１】
カメラ部１４によって撮像された静脈パターンは、第１制御部１２にて画像処理を行う（ステップＳ５８）。画像処理は、前述の通り、撮像された静脈パターンの明暗に基づいて、各部位（セグメント毎に）を「０」又は「１」の数値データに変換する。そして、得られた結果に基づいて、第１記憶部９に記憶させた生体情報と照合する（ステップＳ５９）。照合により得られた結果（照合結果）と、該当する生体情報に関連付けたＩＤデータとをスマートエントリーＣ／Ｕ２に送信する（ステップＳ６０）。
【００４２】
スマートエントリーＣ／Ｕ２では、生体認証装置１からデータを受信することにより、受信したＩＤデータがマスターデータであり、かつ、消去ボタン２２が操作されているか否かを判断する（ステップＳ３４）。そして、受信したＩＤデータがマスターデータである場合、消去ボタン２２が操作されることにより、後述する消去モードへと移行する。これにより、マスターデータに対応する生体情報を持たない他のユーザが生体認証した場合には、勝手に生体情報を消去する消去モードを実行することを阻止することができる。また、生体認証装置１で指をセットした状態では、前述の通り、その指がある手で消去ボタン２２を消去することができないので、不用意に消去モードが実行されてしまうといった不具合を確実に防止することが可能となる。
【００４３】
消去モードに移行しない場合、消去ボタン２２が操作されておらず、かつ、生体認証装置１で読み取られた生体情報が第１記憶部９に記憶されたものである（照合ＯＫ）か否かを判断する（ステップＳ３５）。消去ボタン２２が操作されるか、あるいは、照合が不適切であった場合には、通常モードでの処理を中止する。一方、消去ボタン２２が操作されておらず、照合が適切である場合には、ＩＤデータの確認後、第２記憶部１６にその認証されたＩＤデータを記憶し（ステップＳ３６）、そのＩＤデータに対応して、ミラー、シート、ステアリング等の各機器に対して制御信号を出力する（ステップＳ３７）。また、スタートＳＷ７がオンされることにより（ステップＳ３８）、電動ＳＴＬ５にＳＴＬ解除信号を送信する（ステップＳ３９）。
【００４４】
電動ＳＴＬ５では、ＳＴＬ解除信号に基づいてステアリングのロック状態を解除し、アンロック状態とする（ステップＳ６１）。そして、スマートエントリーＣ／Ｕ２及びエンジンＣ／Ｕ６にアンロック信号を送信する（ステップＳ６２）。
【００４５】
スマートエントリーＣ／Ｕ２では、電動ＳＴＬ５からのアンロック信号を確認し（ステップＳ４０）、エンジンＣ／Ｕ６にＩＤデータを送信する（ステップＳ４１）。
【００４６】
エンジンＣ／Ｕ６では、電動ＳＴＬ５からのアンロック信号を確認し（ステップＳ７１）、このアンロック信号と、スマートエントリーＣ／Ｕ２からのＩＤデータとに基づいて、ステアリングがアンロック状態にあるか否か、ＩＤデータが適切なものであるか否かを判断する（ステップＳ７２）。いずれかの条件を満足しなければ、通常モードを終了し、両方の条件を満足すれば、エンジンを始動する（ステップＳ７３）。そして、スマートエントリーＣ／Ｕ２にエンジン始動信号を送信する（ステップＳ７４）。
【００４７】
スマートエントリーＣ／Ｕ２では、エンジンＣ／Ｕ６から送信されたエンジン始動信号を確認し（ステップＳ４２）、前記一連の通常モードでの処理を終了する。
【００４８】
（消去モード）
前記ステップＳ３４で、受信したＩＤデータがマスターデータであり、かつ、消去ボタン２２が操作されている場合、消去モードを実行する。
【００４９】
すなわち、図７に示すように、スマートエントリーＣ／Ｕ２では、消去ボタン２２の操作に基づいて生体認証装置１に消去モード信号を送信し（ステップＳ８１）、第２記憶部１６に記憶しているＩＤデータを消去する（ステップＳ８２）。
【００５０】
生体認証装置１では、スマートエントリーＣ／Ｕ２から送信された消去モード信号を受信することにより、消去モードを開始し（ステップＳ９１）、第１記憶部９に記憶している生体情報及びそれに関連付けたＩＤデータを消去する（ステップＳ９２）。ここでは、マスターデータ以外の、全ての生体情報及びＩＤデータに関するデータを消去する。これらのデータの消去が完了すれば、その結果をスマートエントリーＣ／Ｕ２に送信する（ステップＳ９３）。
【００５１】
スマートエントリーＣ／Ｕ２では、生体認証装置１での結果を受けて、消去が適切に行われたか否かを確認する（ステップＳ８３）。適切に消去されていれば、消去モードを終了し、何らかの不具合により適切に消去されていなければ、ブザーで報知する等により警告する（ステップＳ８４）。
【００５２】
但し、前記消去モードでは、マスターデータ以外の全てのデータを消去するようにしたが、マスターデータをも削除するようにしてもよい。また、前記通常モードのステップＳ３４で、読み取ったＩＤデータがマスターデータである場合にのみ消去モードに移行できるようにしたが、第１記憶部９に記憶されているいずれか１つの生体情報によっても消去モードに移行できるようにしてもよい。この場合、読み取った生体情報のみを消去するようにしてもよし、他の生体情報を消去できるようにしてもよい。また、マスターデータのみを消去できないようにすることも可能である。
【００５３】
このように、本実施形態では、指から生体情報を読み取っている状態で、その指がある方の手では消去ボタン２２を操作できないので、ユーザが誤って消去ボタン２２を操作して必要なデータが消去されるといった不具合を未然に防止することが可能となっている。また、消去ボタン２２の操作は、生体情報の読み取りと同時に行わないと、削除モードには移行しないように構成しているため、誤って生体情報を削除する操作が行われる可能性をさらに低減できる。また、読取手段による生体情報の読み取り時に指を動かすと、読み取りが正確に行えない場合があるため、ユーザは手の動きを抑制する必要があるが、これによってユーザには体全体の動きを抑制しようとする意識が働き、その結果、読み取り時に同時に操作する必要がある消去ボタン２２が誤って操作されることを防止することができる。
【００５４】
なお、本発明の生体認証装置は、前記実施形態の構成に限定されるものではなく、種々の変更が可能である。例えば、前記実施形態では、２つの制御部１２、１９を用いて各処理を実行しているが、１つの制御部によって各処理を実行するようにしてもよい。
【図面の簡単な説明】
【００５５】
【図１】本実施形態に係る生体認証システムを車両に採用した例を示すブロック図である。
【図２】図１のスマートエントリーコントロールユニットと生体認証装置の詳細を示すブロック図である。
【図３】図１の生体認証装置と消去ボタンのレイアウト例を示す概略図である。
【図４】本実施形態に係る生体認証システムに於ける登録モードの処理内容を示すフローチャートである。
【図５】本実施形態に係る生体認証システムに於ける通常モードの処理内容を示すフローチャートである。
【図６】本実施形態に係る生体認証システムに於ける通常モードの処理内容を示すフローチャートである。
【図７】本実施形態に係る生体認証システムに於ける消去モードの処理内容を示すフローチャートである。
【符号の説明】
【００５６】
１…生体認証装置
２…スマートエントリーＣ／Ｕ
３…ドア開閉ＳＷ
４…ドアロックＣ／Ｕ
５…電動ＳＴＬ
６…エンジンＣ／Ｕ
７…スタートＳＷ
８…撮像部（読取手段）
９…第１記憶部（記憶手段）
１０…第１電源部
１１…第１通信部
１２…第１制御部（個人認証手段、削除実行手段）
１３…赤外線照射部
１４…カメラ部
１５…入出力部
１６…第２記憶部
１７…第２電源部
１８…第２通信部
１９…第２制御部（削除実行手段、生体情報判定手段）
２０…リモコン
２１…登録ボタン
２２…消去ボタン（削除開始手段）
【図１】
2009134422.tif 000003
【図２】
2009134422.tif 000004
【図３】
2009134422.tif 000005
【図４】
2009134422.tif 000006
【図５】
2009134422.tif 000007
【図６】
2009134422.tif 000008
【図７】
2009134422.tif 000009